(57)【特許請求の範囲】
【請求項１】
表示装置の色温度をコンピュータに設定するための色温度設定装置であって、
ユーザによる操作入力に応答してカメラで前記ユーザを撮影する撮影部と、
撮影したユーザの画像を解析して、前記ユーザの虹彩の色を判別する虹彩色判別部と、
虹彩の色と色温度との対応関係が登録された虹彩・色温度対応テーブルを参照し、前記ユーザの虹彩の色に対応する色温度を、前記表示装置の色温度に決定し、前記表示装置で表示される画像の色温度を記憶する色温度設定値記憶部に対して、決定された色温度を設定する色温度決定部と、
を有する色温度設定装置。
【請求項２】
前記虹彩・色温度対応テーブルには、虹彩の色を示す値から明るさの影響を除去した値に対応する色温度が設定されており、
前記色温度決定部は、前記ユーザの虹彩の色を示す値から明るさの影響を除去した値に応じた色温度を、前記表示装置の色温度に決定することを特徴とする請求項１記載の色温度設定装置。
【請求項３】
前記虹彩・色温度対応テーブルには、虹彩の色が濃いほど高い色温度が設定されていることを特徴とする請求項１記載の色温度設定装置。
【請求項４】
前記虹彩色判別部は、前記ユーザの虹彩の色をＲＧＢ値で判別し、
前記虹彩・色温度対応テーブルには、Ｌａｂ表色系における虹彩の色のａ値とｂ値との組合せに対応する色温度が設定されており、
前記色温度決定部は、ＲＧＢの値で示される色とＬａｂ表色系における色空間の色との対応関係が予め定義されており、前記ユーザの虹彩の色に応じたＬａｂ表色系におけるａ値とｂ値とを判断し、前記虹彩・色温度対応テーブルを参照して、前記ユーザの虹彩の色に応じたａ値とｂ値との組合せに対応する色温度を、前記表示装置の色温度に決定することを特徴とする請求項１記載の色温度設定装置。
【請求項５】
前記虹彩・色温度対応テーブルには、ａ値とｂ値とが色空間の中心に近いほど高い色温度が設定されていることを特徴とする請求項４記載の色温度設定装置。
【請求項６】
前記虹彩色判別部は、顔の画像の白の領域を強膜と判定し、強膜に挟まれた領域を虹彩と判定することを特徴とする請求項１記載の色温度設定装置。
【請求項７】
表示装置の色温度をコンピュータで設定するための色温度設定プログラムであって、
前記コンピュータを、
ユーザによる操作入力に応答してカメラで前記ユーザを撮影する撮影部、
撮影したユーザの画像を解析して、前記ユーザの虹彩の色を判別する虹彩色判別部、
虹彩の色と色温度との対応関係が登録された虹彩・色温度対応テーブルを参照し、前記ユーザの虹彩の色に対応する色温度を、前記表示装置の色温度に決定し、前記表示装置で表示される画像の色温度を記憶する色温度設定値記憶部に対して、決定された色温度を設定する色温度決定部、
として機能させる色温度設定プログラム。
【請求項８】
表示装置の色温度をコンピュータで設定するための色温度設定方法であって、
前記コンピュータが、
ユーザによる操作入力に応答してカメラで前記ユーザを撮影し、
撮影したユーザの画像を解析して、前記ユーザの虹彩の色を判別し、
虹彩の色と色温度との対応関係が登録された虹彩・色温度対応テーブルを参照し、前記ユーザの虹彩の色に対応する色温度を、前記表示装置の色温度に決定し、
前記表示装置で表示される画像の色温度を記憶する色温度設定値記憶部に対して、決定された色温度を設定する、
色温度設定方法。
【発明の詳細な説明】
【技術分野】
【０００１】
本発明は表示装置の色温度を設定するための色温度設定装置、色温度設定プログラム、および色温度設定方法に関し、特にユーザの好みに応じた色温度を設定するための色温度設定装置、色温度設定プログラム、および色温度設定方法に関する。
【背景技術】
【０００２】
最近のコンピュータは多階調のカラー画像を表示することができる。例えば、１つの画素（ピクセル）について２４ビットまたは３２ビットの色情報を持たせることで、フルカラーと呼ばれる程の多数の色を表示可能となる。表示可能色が増加したことにより、コンピュータの使用環境やユーザの好みに応じて、画像の色を適宜微調整する技術が考えられている。例えば、使用環境に応じて変換用マトリクスを生成し、変換用マトリクスを用いて画像の色を変換する技術がある（特許文献１参照）。
【特許文献１】特開２００２−２０９２２９号公報
【発明の開示】
【発明が解決しようとする課題】
【０００３】
ところで、コンピュータのモニタに画像を表示する場合に、色温度を正確に再現することが求められている。色温度とは、物体の色を、その色の光を放射するときの物体の温度で表したものである。物体は、その物体の温度に応じて放射する光の色が変化する。そのため、人が物体を見たときに感じる色は、そのときの物体の温度によって異なってくる。そこで、色の正確な再現のためには、画像の色温度を適切な値にすることが重要となる。特にコンピュータでテレビ画像を表示する場合、映像の美しさに対する要求も厳しくなり、より厳密に色温度を調整することが求められる。
【０００４】
しかし、適切な色温度はコンピュータを使用するユーザによっても異なる。そのため、コンピュータ内で最適な色温度を固定的に決めておくことは適切ではない。すなわち、コンピュータを使用するユーザの虹彩の色の違いにより、視覚として受ける色の印象がユーザごとに異なる。そのため、コンピュータでは、白を基準として色温度を適宜調整可能としている。各ユーザが自己の虹彩の色に合った色温度に設定することで、ユーザによる色の印象の差をなくすことができる。コンピュータにおける色温度の設定は、初期設定値と、その他の数種類の推奨値からユーザが適当な色温度を選択するものや、ユーザが任意の色温度の値を設定するものがある。
【０００５】
ただし、このような色温度の設定をユーザが行うには、どのような色温度が適切なのかをユーザ自身が知っている必要がある。しかも、色温度の設定画面による操作が伴うため、ユーザに対して煩雑な作業を強いることとなる。
【０００６】
なお、虹彩の色が何色の人が多いかは、地域によって異なる。例えば、日本では虹彩が黒色に近い濃い色の住人が多数派であっても、欧米では虹彩が青などの薄い色の人が多数派であると思われる。そこで、現状のテレビ機能が搭載されたコンピュータは、出荷する地域の多数派の虹彩の色に合わせた色温度が設定されている。ただし、この状態では出荷する地域ごとに設定の異なる装置を作成しなくてはならず、在庫管理や製造上のコストの増大を招いている。
【０００７】
また地域ごとに色温度を設定しておいたとしても、その色温度は、虹彩の色が該当地域の多数派となる居住者の好みに合わせてある。そのため、虹彩の色が居住地域で少数派に属するユーザは、適切な色温度で画像を見るには、コンピュータを購入後に色温度の設定を変更する必要があった。前述したように、このようなユーザによる色温度の設定変更はユーザにとって面倒であり、コンピュータに詳しいユーザしか行っていないのが現状である。そのため、かなり多くのユーザが、不適切な色温度で表示された画像を見ているものと考えられる。
【０００８】
本発明はこのような点に鑑みてなされたものであり、ユーザの虹彩の色に応じた色温度を自動で設定することができる色温度設定装置、色温度設定プログラム、および色温度設定方法を提供することを目的とする。
【課題を解決するための手段】
【０００９】
上記課題を解決するために、表示装置の色温度を設定するための色温度設定装置が提供される。この色温度設定装置において、撮影部は、ユーザによる操作入力に応答してカメラでユーザを撮影する。虹彩色判別部は、撮影したユーザの画像を解析して、ユーザの虹彩の色を判別する。色温度決定部は、虹彩の色と色温度との対応関係が登録された虹彩・色温度対応テーブルを参照し、ユーザの虹彩の色に対応する色温度を、表示装置の色温度に決定し、表示装置で表示される画像の色温度を記憶する色温度設定値記憶部に対して、決定された色温度を設定する。
【００１０】
このような色温度設定装置によれば、操作入力に応答してユーザが撮影される。次に、撮影されたユーザの画像からユーザの虹彩の色が判別される。さらに、ユーザの虹彩の色に対応する色温度が、表示装置の色温度に決定される。そして、表示装置で表示される画像の色温度を記憶する色温度設定値記憶部に対して、決定された色温度が設定される。
【００１１】
また、上記色温度設定装置の機能をコンピュータで実現させることができる色温度設定プログラムが提供される。さらに、上記色温度設定装置で実行される処理と同様の処理を行う色温度設定方法が提供される。
【発明の効果】
【００１２】
上記色温度設定装置により、表示装置の色温度として、ユーザの虹彩の色に応じた色温度が自動的に設定される。
【発明を実施するための最良の形態】
【００１３】
以下、本発明の実施の形態を図面を参照して説明する。
図１は、実施の形態の概要を示す図である。色温度設定装置１は、顔撮影部１ａ、虹彩色判別部１ｂ、虹彩・色温度対応テーブル１ｃ、色温度決定部１ｄ、および色温度設定値記憶部１ｅを有している。
【００１４】
顔撮影部１ａは、ユーザ４，５の顔がコンピュータに接続されたカメラ３の前にある状況下で、操作入力に応答してカメラ３でユーザ４，５の顔を撮影する。この撮影では、少なくとも、顔の中の目が撮影されていることが必要である。例えば、ユーザ４，５がカメラ３を覗き込むような姿勢を取り、その状態で撮影を行うことで、必要な画像を取得できる。
【００１５】
虹彩色判別部１ｂは、撮影した顔の画像４ａ，５ａを解析して、ユーザ４，５の虹彩の色４ｂ，５ｂを判別する。虹彩は、角膜と水晶体の間にある薄い膜である。一般に、虹彩の色は、茶、青、緑などがある。
【００１６】
虹彩・色温度対応テーブル１ｃは、虹彩の色と色温度との対応関係が登録されている。すなわち、虹彩の色に応じて、該当するユーザに適切な色温度が予め虹彩・色温度対応テーブル１ｃに設定されている。
【００１７】
色温度決定部１ｄは、虹彩・色温度対応テーブル１ｃを参照し、ユーザ４，５の虹彩の色４ｂ，５ｂに対応する色温度４ｃ，５ｃを、表示装置２の色温度に決定する。そして、色温度決定部１ｄは、表示装置２で表示される画像４ｄ，５ｄの色温度を記憶する色温度設定値記憶部１ｅに対して、決定された色温度４ｃ，５ｃを設定する。
【００１８】
このような色温度設定装置１によれば、操作入力に応答してユーザ４，５の顔が撮影される。次に、撮影された顔の画像４ａ，５ａからユーザ４，５の虹彩の色４ｂ，５ｂが判別される。さらに、ユーザ４，５の虹彩の色４ｂ，５ｂに対応する色温度４ｃ，５ｃが、表示装置２の色温度に決定される。そして、表示装置２で表示される画像４ｄ，５ｄの色温度を記憶する色温度設定値記憶部１ｅに対して、決定された色温度４ｃ，５ｃが設定される。
【００１９】
このようにして、ユーザ４，５の虹彩の色４ｂ，５ｂに基づいて、ユーザ４，５の好みに合うと推定される色温度を自動で設定することができる。色温度が設定された色温度設定値記憶部１ｅは、表示装置２に画像を表示するアプリケーションソフトウェアなどによって参照される。そして、それらのアプリケーションソフトウェアが表示装置２に画像４ｄ，５ｄを表示する際には、色温度設定値記憶部１ｅに設定された色温度で表示する。ここで、色温度の数値が小さいほど、表示装置２に表示される画像の白が赤っぽく表示される。また、色温度の数値が大きいほど、表示装置２に表示される画像の白が青っぽく表示される。
【００２０】
なお、図１の例では、色温度設定値記憶部１ｅが色温度設定装置１内に設けられているが、多くの場合、表示装置２内にも色温度設定値記憶部が存在する。例えば、表示装置２の色温度として、Ｋ（ケルビン）の単位を用いて、５０００Ｋ、６５００Ｋ、７５００Ｋ、９３００Ｋなどの設定が可能である。表示装置２は、外部からの色温度の指定がなければ、内部の色温度設定値記憶部に設定されている色温度（表示装置２のデフォルト値）で画面を表示する。そこで、色温度設定装置１では、表示装置２内に設定されている色温度の値を直接変更するようにしてもよい。
【００２１】
画像の色温度の好みは、虹彩の色が濃いほど高い色温度を好み、虹彩の色が薄いほど低い色温度を好むことが知られている。具体的には、日本人などのアジア系の人種は虹彩の色が濃く（黒に近い）、７５００Ｋなどの高めの色温度を好む傾向にある。また、ヨーロッパ系の人種は虹彩の色が薄く（青や茶に近い）、６５００Ｋなど低めの色温度を好む傾向にある。そこで、虹彩・色温度対応テーブル１ｃにおいて、濃い色に対しては７５００Ｋ、薄い色に対しては６５００Ｋの色温度を対応付ける。
【００２２】
ここで、図１に示すユーザ４がアジア系の人種であれば、ユーザの虹彩の色４ｂは、例えば濃い茶色である。すると、対応する色温度４ｃは７５００Ｋとなる。この場合、ユーザ４が表示装置２を用いて画像４ｄを見るときは、白が青っぽくなる色合いで表示される。
【００２３】
また、図１に示すユーザ５がヨーロッパ系の人種であれば、ユーザの虹彩の色５ｂは、例えば青色である。すると、対応する色温度５ｃは６５００Ｋとなる。この場合、ユーザ５が表示装置２を用いて画像５ｄを見るときは、白が赤っぽくなる色合いで表示される。
【００２４】
ところで、図１に示した色温度設定装置１の機能は、コンピュータに内蔵させることができる。現在のノート型のコンピュータでは、カメラを内蔵したモデルも多い。このようなコンピュータであれば、色温度設定装置１が有すべき処理機能を有するソフトウェアを実装することで、色温度の自動設定が可能となる。なお、カメラが内蔵されていないコンピュータであっても、ＵＳＢ（Universal Serial Bus）などのインタフェースを利用し簡単にカメラを接続することが可能である。そのような外部接続のカメラを利用して、色温度の自動設定機能を実現することもできる。
【００２５】
また、色温度の調整は、テレビ放送などの映像を表示する際に特に必要となる。しかも、最近のコンピュータは、テレビ表示機能を内蔵するものが多数存在する。そこで、テレビ表示機能を有するノート型のコンピュータに色温度設定機能を実装した場合を例に採り、以下に実施の形態を詳細に説明する。
【００２６】
図２は、本実施の形態に係るコンピュータの外観図である。本実施の形態に係るコンピュータ１００は、ノート型のコンピュータである。コンピュータ１００には、カメラ１１４が内蔵されている。
【００２７】
なお、図２に示すコンピュータ１００はカメラ１１４を内蔵しているが、カメラ機能を内蔵しないコンピュータもある。そのようなコンピュータでは、ＵＳＢなどのインタフェースを利用して、カメラを接続することができる。
【００２８】
図３は、本実施の形態に用いるコンピュータのハードウェア構成例を示す図である。コンピュータ１００は、ＣＰＵ（Central Processing Unit）１０１によって装置全体が制御されている。ＣＰＵ１０１には、バス１０８を介してＲＡＭ（Random Access Memory）１０２、ハードディスクドライブ（ＨＤＤ:Hard Disk Drive）１０３、グラフィック処理装置１０４、入力インタフェース１０５、テレビチューナ１０６、および通信インタフェース１０７が接続されている。
【００２９】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００３０】
グラフィック処理装置１０４には、液晶ディスプレイ１１１が接続されている。グラフィック処理装置１０４は、ＣＰＵ１０１からの命令に従って、画像を液晶ディスプレイ１１１の画面に表示させる。
【００３１】
入力インタフェース１０５には、キーボード１１２、ポインティングデバイス１１３、およびカメラ１１４が接続されている。入力インタフェース１０５は、キーボード１１２やポインティングデバイス１１３から送られてくる信号を、バス１０８を介してＣＰＵ１０１に送信する。また、入力インタフェース１０５は、カメラ１１４が撮影した画像を取り込み、ＲＡＭ１０２やＨＤＤ１０３に転送する。
【００３２】
テレビチューナ１０６は、テレビ電波を受信し、テレビの画像を生成することができる。テレビチューナ１０６が生成したテレビ画像は、グラフィック処理装置１０４を介して液晶ディスプレイ１１１に表示される。
【００３３】
通信インタフェース１０７は、ネットワーク１０に接続されている。通信インタフェース１０７は、ネットワーク１０を介して、他のコンピュータとの間でデータの送受信を行う。
【００３４】
以上のようなハードウェア構成によって、本実施の形態の処理機能を実現することができる。
図４は、コンピュータの色温度調整機能を示すブロック図である。コンピュータ１００には、虹彩・色温度対応テーブル１２１、顔撮影部１２２、虹彩色判別部１２３、色温度決定部１２４、およびテレビ表示部１２５を有している。
【００３５】
虹彩・色温度対応テーブル１２１は、ユーザの虹彩の色と色温度との対応関係を記憶するデータテーブルである。虹彩・色温度対応テーブル１２１は、例えば、ＲＡＭ１０２内に設けられる。
【００３６】
顔撮影部１２２は、カメラ１１４を制御して、ユーザの顔の画像を取得する。具体的には、顔撮影部１２２は、ユーザからの色温度調整指示の操作入力に応答して、カメラを近接撮影モードで起動する。次に、顔撮影部１２２は、ユーザに対して「カメラに目を近づけてください」というメッセージを表示する。そして、顔撮影部１２２は、ユーザからの「ＯＫ」の操作入力に応じてカメラ１１４でユーザの顔を撮影し、撮影した画像を虹彩色判別部１２３に渡す。
【００３７】
虹彩色判別部１２３は、顔撮影部１２２から受け取った画像から虹彩の領域を判定する。そして、虹彩色判別部１２３は、虹彩の領域の色を取得する。取得した虹彩の色は、色温度決定部１２４に渡される。
【００３８】
色温度決定部１２４は、虹彩・色温度対応テーブル１２１を参照し、虹彩の色に応じた色温度を選択する。すなわち、色温度決定部１２４は、ユーザの虹彩の色に対応付けられた色温度を自動的に選択する。色温度決定部１２４は、選択した色温度をテレビ表示部１２５の色温度設定値記憶部１２５ａに設定する。
【００３９】
テレビ表示部１２５は、テレビチューナ１０６を制御して、ユーザが選択した周波数のテレビ放送を受信し、液晶ディスプレイ１１１に画像を表示する。また、テレビ表示部１２５は、色温度設定値記憶部１２５ａを有している。色温度設定値記憶部１２５ａは、色温度の設定を記憶するための記憶機能である。例えば、ＲＡＭ１０２の記憶領域の一部が、色温度設定値記憶部１２５ａとして使用される。テレビ表示部１２５は、テレビ画像を液晶ディスプレイ１１１に表示する際には、色温度設定値記憶部１２５ａに設定された色温度となるように画質を調整する。
【００４０】
なお、図４における虹彩・色温度対応テーブル１２１、顔撮影部１２２、虹彩色判別部１２３、および色温度決定部１２４の機能は、例えば、コンピュータ１００におけるユーティリティアプリケーションソフトウェア（コンピュータの機能向上などのために用意されたソフトウェア）をコンピュータ１００が実行することで実現される。また、テレビ表示部１２５の機能は、コンピュータ１００でテレビを視聴するためのアプリケーションソフトウェアをコンピュータ１００が実行することで実現される。
【００４１】
次に、図４に示した構成のコンピュータ１００で色温度を調整する方法を、詳細に説明する。まず、顔の画像から虹彩の色を判別する方法の一例について説明する。
図５は、顔の画像を示す図である。画像２０には、ユーザの目の周辺が示されている。目には、中央に瞳孔２１がある。瞳孔２１の周辺が虹彩２２である。虹彩２２の外側は、一般に白目と呼ばれる強膜２３，２４である。
【００４２】
そこで、虹彩色判別部１２３は、画像の中から２カ所の白い領域を抽出する。顔の画像における白い部分は目の強膜２３，２４の部分である。強膜２３，２４の領域に挟まれた部分に虹彩２２がある。そこで、虹彩色判別部１２３は、白い部分に挟まれた領域内の中央の黒い部分（瞳孔２１）を除いた領域を虹彩２２と判定する。
【００４３】
虹彩色判別部１２３は、画像２０から虹彩２２の領域の色を特定する。通常は、カメラ１１４から撮影された画像データは、色がＲＧＢで表されている。従って、虹彩色判別部１２３はＲＧＢの値により、虹彩２２の色を認識できる。
【００４４】
次に、虹彩の色から色温度を求める方法を説明する。本実施の形態では、虹彩の色を示すＬａｂ表色系での値を求め、Ｌａｂ表色系における値から色温度を求めるものとする。
図６は、Ｌａｂ表色系色座標を示す図である。図６（Ａ）は、Ｌａｂ表色系の色空間を示す球体を示している。色空間は、Ｌ軸、ａ軸、ｂ軸で表される。Ｌ軸は、明るさを表している。ａ軸は、赤〜緑の色の変化を表している。ｂ軸は、黄〜青の色の変化を表している。ここで、点Ｃにおける色のＬ値、ａ値、ｂ値を求めるものとする。
【００４５】
図６（Ｂ）は、色空間の球体から、点Ｃが属する領域を全体の１／４だけ切り取ったものである。点ＣからＬ軸に垂線をおろしたときにＬ軸と垂線との交わる位置のＬ軸の値が、点Ｃの色のＬ値となる。
【００４６】
図６（Ｃ）は、色空間をＸ−Ｘ方向から見たときの断面図である。点Ｃについては、断面上に投影している。この断面図上で点Ｃからａ軸に垂線をおろしたときにａ軸と垂線との交わる位置のａ軸の値が、点Ｃの色のａ値となる。また、断面図上で点Ｃからｂ軸に垂線をおろしたときに、ｂ軸と垂線との交わる位置のｂ軸の値が、点Ｃの色のｂ値となる。
【００４７】
虹彩色判別部１２３は、ＲＧＢ値と、Ｌａｂ表色系の色空間における座標値（Ｌａｂ値）との対応関係を予め記憶している。虹彩色判別部１２３は、カメラ１１４より取得した画像の虹彩の色（ＲＧＢ値）を色立体と比較確認する。そして、虹彩色判別部１２３は、虹彩の色がＬ値、ａ値、ｂ値からなる座標のどこに最も近いかを判定し、そのＬａｂ値を取得する。
【００４８】
ここで、Ｌａｂ値のうち、Ｌ値は明るさを表す値である。明るさは、撮影したときの照明などの外界の明るさに左右される。そのため、虹彩の色に応じた色温度の判定には、明るさの影響を除外して、ａ値、ｂ値のみが用いられる。すなわち、ａ値、ｂ値と色温度との対応関係が、虹彩・色温度対応テーブル１２１に登録されている。
【００４９】
図７は、虹彩・色温度対応テーブルのデータ構造例を示す図である。虹彩・色温度対応テーブル１２１には、絶対値ａ、絶対値ｂ、およびモニタ色温度の欄が設けられている。
絶対値ａの欄には、ａ値の絶対値が設定されている。絶対値ｂの欄には、ｂ値の絶対値が設定されている。絶対値ａと絶対値ｂとの欄の横方向に対応する値の組みが、１つの組合せパターンを構成している。そして、絶対値ａと絶対値ｂとの欄には、ａ値の絶対値とｂ値の絶対値との間のすべての組合せパターンが設定されている。
【００５０】
モニタ色温度の欄には、絶対値ａと絶対値ｂとの組合せパターンに応じた適切な色温度が設定されている。虹彩・色温度対応テーブル１２１では、虹彩の色が、Ｌａｂ表色系を示す色立体のａ軸−ｂ軸平面における座標の原点に近いほど、高い値の色温度が設定されている。
【００５１】
色温度決定部１２４は、このような虹彩・色温度対応テーブル１２１を参照することで、虹彩の色に応じた適切な色温度を決定する。決定した色温度は、テレビ表示部１２５内の色温度設定値記憶部１２５ａに設定される。
【００５２】
以下、色温度調整処理の手順についてフローチャートを参照して説明する。
図８は、色温度調整処理の手順を示すフローチャートである。以下、図８に示す処理をステップ番号に沿って説明する。
【００５３】
［ステップＳ１１］顔撮影部１２２は、ユーザからの色温度調整指示の操作入力に応答して、ユーザの顔の近接画像を撮影する。撮影した画像は、虹彩色判別部１２３に渡される。
【００５４】
［ステップＳ１２］虹彩色判別部１２３は、ユーザの顔の画像から虹彩の領域を判定する。さらに、虹彩色判別部１２３は、虹彩の色を判定する。そして、虹彩色判別部１２３は、虹彩の色を示す情報を色温度決定部１２４に渡す。
【００５５】
［ステップＳ１３］色温度決定部１２４は、虹彩・色温度対応テーブル１２１を参照し、虹彩の色に応じた適切な色温度を判定する。
［ステップＳ１４］テレビ表示部１２５は、色温度設定値記憶部１２５ａに、色温度決定部１２４で判定された色温度を設定する。
【００５６】
その後、ユーザによってテレビ視聴を示す操作入力が行われると、テレビ表示部１２５によって、色温度設定値記憶部１２５ａに設定された色温度の画質によるテレビ画像が液晶ディスプレイ１１１に表示される。
【００５７】
このようにして、コンピュータの出荷地域ごとに色温度の設定を変える必要がなくなる。すなわち、全世界共通の環境設定でコンピュータの製造が可能となる。その結果、製造時のコストダウンが図れる。また、各ユーザの虹彩の色に応じた色温度を自動で設定することが可能になり、ユーザビリティ（ユーザによる使いやすさ）の向上が図れる。さらに、ユーザにとっては、自己の好みに合った色温度を容易に設定することができ、煩雑な手間をかけずにテレビ放送の映像を好みの色合いで視聴できる。
【００５８】
なお、上記の例では、映像を表示する機能の代表例としてテレビ表示部１２５の色温度を設定しているが、テレビ表示部１２５に代えて、ＤＶＤ（Digital Versatile Disk）による映画などの映像再生機能を用い、映像再生機能の色温度を設定することもできる。
【００５９】
また、ＣＧ（Computer Graphics）の分野でも、画像の色合いの調整は重要である。そのため、テレビ表示部１２５に代えてＣＧ機能の色温度を設定することで、ＣＧの画像を適切な色合いにすることができる。
【００６０】
また、コンピュータが有すべき機能の処理内容を記述したプログラムを、コンピュータに実行させることで実現できる。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disc）などがある。
【００６１】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００６３】
なお、本発明は、上述の実施の形態にのみ限定されるものではなく、本発明の要旨を逸脱しない範囲内において種々の変更を加えることができる。
【図面の簡単な説明】
【００６４】
【図１】実施の形態の概要を示す図である。
【図２】本実施の形態に係るコンピュータの外観図である。
【図３】本実施の形態に用いるコンピュータのハードウェア構成例を示す図である。
【図４】コンピュータの色温度調整機能を示すブロック図である。
【図５】顔の画像を示す図である。
【図６】Ｌａｂ表色系色座標を示す図である。
【図７】虹彩・色温度対応テーブルのデータ構造例を示す図である。
【図８】色温度調整処理の手順を示すフローチャートである。
【符号の説明】
【００６５】
１  色温度設定装置
１ａ  顔撮影部
１ｂ  虹彩色判別部
１ｃ  虹彩・色温度対応テーブル
１ｄ  色温度決定部
１ｅ  色温度設定値記憶部
２  表示装置
３  カメラ
４，５  ユーザ
４ａ，５ａ，４ｄ，５ｄ  画像
４ｂ，５ｂ  色
４ｃ，５ｃ  色温度
【図１】
0005061968.tif 000002
【図２】
0005061968.tif 000003
【図３】
0005061968.tif 000004
【図４】
0005061968.tif 000005
【図５】
0005061968.tif 000006
【図６】
0005061968.tif 000007
【図７】
0005061968.tif 000008
【図８】
0005061968.tif 000009